(57)【特許請求の範囲】
【請求項１】
対象物を掛持する肩部と該肩部の端に連なる側部とにより横方向に細長い枠形状に成形された掛け部材と、該掛け部材を係合支持する係合部を有する吊り部材とを備え、前記掛け部材の肩部に掛持された対象物を前記吊り部材の懸吊により保持するハンガーにおいて、
前記係合部は側面視でＵ字状をなし、弧状の頂部から幅広の基部に連なる略台形状の断面を有する凸部を底部中央に備え、前記肩部は、弧状の底部から前記基部よりも幅広の開口部に連なる略台形状の断面を有する凹部を略中央に備えており、前記吊り部材による前記掛け部材の係合支持は、前記凸部の頂部と前記凹部の底部とを当接させ、この当接部を支点とする前記掛け部材の揺動時の前記凸部及び凹部の作用により離脱可能になしてあることを特徴とするハンガー。
【請求項２】
前記凸部が有する高さは前記凹部が有する深さよりも長寸であり、前記凸部の基部の両側には、前記掛け部材の揺動時に前記凹部の開口縁に当接して支持すべき支持片を突設してある請求項１記載のハンガー。
【請求項３】
前記掛け部材は前記吊り部材から分離可能としてある請求項１又は２記載のハンガー。
【請求項４】
前記吊り部材は、断面視でＵ字形状を有する挟持部と、該挟持部の両端を接近方向に付勢する弾性部材とを備える請求項１乃至請求項３のいずれかに記載のハンガー。
【請求項５】
前記弾性部材は割形リングバネであり、前記挟持部はＵ字型の両側に突設されたバネ受け片を備え、前記割形リングバネは両端部が前記バネ受け片に支持され、中央がＵ字底部側に位置すべく固定してある請求項４記載のハンガー。
【請求項６】
前記吊り部材は、対向する両挟み手の夫々の一側を屈曲部により連繋し、前記両挟み手の略中央を夫々外側に膨らませ、他側の両端部を夫々外側に向けて反らせてあり、前記両挟み手の前記屈曲部よりには、両外側に突設され、前記両挟み手を接近する方向に付勢する割形リングバネの両端を夫々支持するバネ受け片が設けられている請求項１乃至請求項３のいずれかに記載のハンガー。
【請求項７】
前記バネ受け片の夫々は、前記吊り部材の屈曲部に向かう面を有し、前記割形リングバネの先端側で前記両挟み手の長さ方向の移動を止めるべき行き止め部と、前記両挟み手の長さ方向に沿う面を夫々有し、前記長さ方向に異なる位置にて前記割形リングバネの端部の両側で前記両挟み手の幅方向の移動を拘束すべき第１及び第２の拘束部とを備え、端部を前記バネ受け片に挿入せしめて前記割形リングバネを前記屈曲部に沿った向きに支持すべくなしてある請求項６記載のハンガー。
【発明の詳細な説明】
【０００１】
【発明の属する技術分野】
本発明は、乾燥，展示及び保管等の目的で衣服を懸吊保持するハンガーに関する。
【０００２】
【従来の技術】
衣服を保存したり、洗濯した衣服を乾燥する際に、ハンガーに掛けることにより衣服の形態をくずさずに保持することができる。ハンガーは、衣服を掛持する掛け部と該掛け部の中央で掛け部を支持する吊り部とで構成されている。ハンガーの掛け部に衣服の衿及び掛け部分を掛け、吊り部を衿ぐりから上方向に露出させ、吊り部の鉤状の先端を例えば竿のような渡し棒に懸吊する。吊り部は掛け部の中央に設けてあるのでハンガーのバランスは衣服の両肩側で均衡であり、ハンガーに掛持した衣服は安定に保持される。
【０００３】
【発明が解決しようとする課題】
このようなハンガーに例えばハイネックセータ、子供用セータのような衿ぐりが小さな衣服を掛持する場合に、掛け部の両側を衿ぐりに挿入したとき、衿ぐりが伸長されて衣服の形状が変化してしまう。そこで、ハンガー全体を裾から衣服内に挿入し、ハンガーを衣服内で移動させて吊り部を衿ぐりから抜き出し、掛け部を肩にあてがう。これにより、衿ぐりの伸長を防止することができるが、ハンガーを衣服丈と同じ距離だけ移動させるために手間がかかる。また、洗濯済の衣服を乾燥させる場合には、衣服が濡れて重いためにこの作業がさらに困難になる。またさらに、衣服をハンガーから外す場合にはこの逆の手順を行なうが、このとき吊り部の先端部が衣服にひっかかり、衣服に損傷を来すという問題があった。
【０００４】
これを解決するためのハンガーが市販されている。図２４はこのハンガーの構造を示す正面図である。このハンガーは掛け部31の中央を吊り部32が支持しており、掛け部31の一側の略中央部分に他側に向けて屈曲せしめた切込み部33を備えている。このハンガーに衣服を掛持する際には、まず切込み部33を備える一側の掛け部31の先端を衣服の衿ぐりに挿入し、切込み部33に沿って衿ぐりを移動せしめる。衿ぐりが切込み部33の終端部に到達した後、掛け部31の他側を衿ぐりに挿入し、衣服の両肩を掛け部にあてがう。このようなハンガーを用いると、ハンガーを裾から挿入して衣服内で移動させる必要はないが、切込み部33の終端部から掛け部31の他側端部までの距離が衣服の衿ぐりの寸法を越える場合は、やはり衿ぐりが伸長してしまうという問題があった。
【０００５】
本発明は、かかる事情に鑑みてなされたものであり、掛け部材が複数の係合受け部を備えているので、掛け部材を移動せしめることにより、掛け部材と吊り部材との位置関係を変更し、掛持対象物の形状を変形させることなく簡便に掛持することができるハンガーを提供することを目的とする。
【０００６】
【課題を解決するための手段】
第１発明に係るハンガーは、対象物を掛持する肩部と該肩部の端に連なる側部とにより横方向に細長い枠形状に成形された掛け部材と、該掛け部材を係合支持する係合部を有する吊り部材とを備え、前記掛け部材の肩部に掛持された対象物を前記吊り部材の懸吊により保持するハンガーにおいて、前記係合部は側面視でＵ字状をなし、弧状の頂部から幅広の基部に連なる略台形状の断面を有する凸部を底部中央に備え、前記肩部は、弧状の底部から前記基部よりも幅広の開口部に連なる略台形状の断面を有する凹部を略中央に備えており、前記吊り部材による前記掛け部材の係合支持は、前記凸部の頂部と前記凹部の底部とを当接させ、この当接部を支点とする前記掛け部材の揺動時の前記凸部及び凹部の作用により離脱可能になしてあることを特徴とする。
【０００７】
本発明にあっては、枠形状をなす掛け部材の肩部の略中央に弧状の頂部を有する台形状の凸部を設け、また、吊り部材のＵ字状の係合部の底部中央に弧状の底部を有する台形状の凹部を設けて、吊り部材による掛け部材の係合支持を凸部の頂部を凹部の底部に当接させて実現してあり、この当接部を支点として掛け部材を揺動させることにより凸部及び凹部の相乗作用により係合状態を解除し、係合部の係合支持位置を枠形状をなす掛け部材に沿って肩部の端に連なる側部に移動させて、掛け部材を縦位置に支持させることができ、掛持対象物の掛け始め、掛持中及び取外しの夫々に対して都合の良い状態に掛け部材の向きを簡易な操作により変えることができる。これにより掛持対象物の掛け始めには、掛け部材を縦位置に支持して対象物の細い部分を通し易くし、その後、前記凸部及び凹部を係合させて掛け部材を横位置に支持して対象物を掛持する。対象物を取り外すときには、対象物の一側半部を下向きに引き操作すれば、前記凸部及び凹部の当接位置を支点として掛け部材が揺動し、係合状態が解除されて掛け部材が縦位置に移行し、対象物は、そのまま下位置に取り外される。
【００１２】
第２発明に係るハンガーは、第１発明において、前記凸部が有する高さは前記凹部が有する深さよりも長寸であり、前記凸部の基部の両側には、前記掛け部材の揺動時に前記凹部の開口縁に当接して支持すべき支持片を突設してあることを特徴とする。
【００１４】
本発明にあっては、凸部及び凹部の当接位置を支点として掛け部材が揺動するとき、凹部の深さよりも大きい高さを有する凸部の基部両側に突設された掛け部材が凹部の開口縁に当接し．この当接点が新たな支点となって凹部からの離脱が促進され、凸部及び凹部の係合が容易に外れ、下方への引き操作による対象物の取り外しを容易に行わせ得る。
【００１５】
第３発明に係るハンガーは、第１又は第２発明において、前記掛け部材は前記吊り部材から分離可能なことを特徴とする。従って、掛け部材と吊り部材とを分離した状態で収納できるので、広い収納空間の必要がない。
【００１６】
第４発明に係るハンガーは、第１乃至第３発明において、前記吊り部材は、断面視でＵ字形状を有する挟持部と、該挟持部の両端を接近方向に付勢する弾性部材とを備えることを特徴とする。
【００１７】
第４発明にあっては、Ｕ字形状の挟持部が例えば竿のような棒体を挟むことによりハンガーを竿に懸吊する。弾性部材が弾性力により挟持部の両端を接近せしめるので、風に吹かれたり、不意な外力を受けても竿から外れることなく固定される。
【００１８】
第５発明に係るハンガーは、第４発明において、前記弾性部材は割形リングバネであり、前記挟持部はＵ字型の両側に突設されたバネ受け片を備え、前記割形リングバネは両端部が前記バネ受け片に支持され、中央がＵ字底部側に位置すべく固定してあることを特徴とする。
【００１９】
第４発明にあっては、挟持部に固定された割形リングバネの弾性力により、挟持部の両端がさらに強く接近方向に付勢されるので、竿への固定が強化される。また、長時間の使用によっても割形リングバネの弾性力は十分な復元性を有しており、挟持部が太径の竿を長時間挟持した後でも細径の竿を強固に挟持することができる。
【００２０】
第６発明に係るハンガーは、第１乃至第３発明において、前記吊り部材は、対向する両挟み手の夫々の一側を屈曲部により連繋し、前記両挟み手の略中央を夫々外側に膨らませ、他側の両端部を夫々外側に向けて反らせてあり、前記両挟み手の前記屈曲部よりには、両外側に突設され、前記両挟み手を接近する方向に付勢する割形リングバネの両端を夫々支持するバネ受け片が設けられていることを特徴とする。
【００２１】
第６発明にあっては、両挟み手の略中央が膨らんだ形状になっているので、竿のような棒体を安定に挟持できる。また、両挟み手の両端部が外側に反っているので、吊り部を竿に係止する際に、竿を両挟み手の中央部分に案内し易い。また、屈曲部側に固定された割形リングバネの弾性力により、両挟み手の両端がさらに強く接近方向に付勢されるので、竿への固定が強化される。
【００２２】
第７発明に係るハンガーは、第６発明において、前記バネ受け片の夫々は、前記吊り部材の屈曲部に向かう面を有し、前記割形リングバネの先端側で前記両挟み手の長さ方向の移動を止めるべき行き止め部と、前記両挟み手の長さ方向に沿う面を夫々有し、前記長さ方向に異なる位置にて前記割形リングバネの端部の両側で前記両挟み手の幅方向の移動を拘束すべき第１及び第２の拘束部とを備え、端部を前記バネ受け片に挿入せしめて前記割形リングバネを前記屈曲部に沿った向きに支持すべくなしてあることを特徴とする。
【００２３】
第７発明にあっては、割形リングバネの先端が行き止め部に当接されることにより、割形リングバネが前記両挟み手の端部側へ移動することを阻止し、第１及び第２の拘束部が割形リングバネの端部の両側で当接されることにより、割形リングバネが挟み手の幅方向に位置ずれすることを防止する。また、第１及び第２の拘束部が両挟み手の長さ方向に異なる位置に設けてあるので、割形リングバネのバネ受け片への挿入が容易である。このように、割形リングバネはバネ受け片の行き止め部及び第１及び第２の拘束部で固定され、割形リングバネの幅方向の位置ずれ及びバネ受け片からの離脱が防止される。
【００２４】
【発明の実施の形態】
以下、本発明をその実施の形態を示す図面に基づき具体的に説明する。
図１は、本発明のハンガーの構造を示す斜視図であり、図２は正面図である。図に示すように、本実施の形態のハンガーは、通常のハンガーの掛け部の形状と同様に横方向に細長い枠形状を有する掛け部材１が吊り部材２に係合支持されており、掛け部材１の回動により係合は嵌脱可能であり、また掛け部材１と吊り部材２とは分離可能に構成されている。掛け部材１に掛持対象物である衣服を掛持せしめ、吊り部材２の上端に備える挟持部21で物干し竿等を挟持することにより、衣服を懸吊するようになっている。
【００２５】
図３は掛け部材１の構造を示す正面図である。掛け部材１は例えばポリプロピレン樹脂のような合成樹脂製であり、前後方向に所定の厚みを有して枠状に一体成形されている。図に示すように、枠の一辺となる上掛持部11は中央が上方向に僅かに湾曲した、衣服の首から肩に沿った形状を有しており、頂部分である第１の係合受け部14の上下方向の幅が両端部の幅よりも広く形成されている。係合受け部14には、下側に向けて開口する逆Ｕ字型の受け凹部16が形成されている。上掛持部11に対向する下掛持部12は直棒状に形成されており、上掛持部11と下掛持部12とを継いで枠の対向辺を構成する第２の係合受け部である側部13,13 は、上掛持部11及び下掛持部12よりも短寸法に形成されている。上掛持部11には衣服の衿及び肩部分を接触せしめて掛持し、下掛持部12にはスラックス、タオル等を掛けるようになっている。また、下掛持部12の両端部には上側に向けて突出する突起17,17 が、スカート幅程度の間隔を有する位置に形成されており、例えばスカートをループで懸吊できるようになっている。
【００２６】
図４は吊り部材２の構造を示す正面図であり、図５，図６，図７及び図８は夫々その右側面図，背面図，平面図及び底面図である。吊り部材２は例えばポリプロピレン樹脂のような合成樹脂製であり、図に示すように、柱22の上端に竿を挟持する挟持部21を、下端に側面視がＵ字状の係合部23を備えて一体成形されている。係合部23を構成し、掛け部材１を支持すべき支持板24は正面視で縦長矩形状で前後方向に厚みを有しており、上部が正面側に略90°で屈曲され、その上面の略中央に柱22の下端を固定してある。
【００２７】
支持板24の下端部には、断面形状が逆Ｕ字形を有する係合凸部25が正面側に突設されており、係合凸部25は前記掛け部材１の厚みよりも厚く突出しており、前記受け凹部16に係合する寸法で、受け凹部16の深さよりも長寸法の高さを有している。係合凸部25の周面下端部には左右に夫々突出する回転支持片26,26 が形成されている。また係合凸部25の正面は支持板24上部の屈曲せしめた先端と面一になっており、係合凸部25の正面上部には上方向に延びる抜け止め棒27が突設されている。抜け止め棒27の先端は支持板24上部の先端と所定長離隔しており、装入口30を形成している。この離隔長は係合受け部14の頂部分の幅寸法よりも長い。また、抜け止め棒27と支持板24との離間距離は係合凸部の厚み寸法とほぼ同長であり、前記掛け部１の厚みよりも長い。
【００２８】
一方、図４に示すように、横向きに略Ｕ字状を有する挟持部21は、両挟み手を右側（又は左側）に向けて開口しており、下側先端部付近の下面に柱22の上端を固定してある。挟持部21は両挟み手の略中央を外側に膨らませ、その内側に滑りを防止する前後方向の複数の溝が設けてある。また両挟み手の先端部分は夫々外側に反っている。挟持部21はポリプロピレン樹脂のような合成樹脂でＵ字型に形成されているので、素材弾性力を有して両挟み手の接離方向に可撓性を有している。この可撓性により挟持部21は異なる径の竿に適合可能である。また、挟持部21のＵ字底部外側には、Ｕ字底部に係合する形状のスチール製のＵ型板バネ29が着脱可能に外嵌されるようになっており、挟持部21で竿を挟持した後、Ｕ型板バネ29を嵌着させることにより、吊り部材２と竿との係止がさらに強固になる。
【００２９】
このような構成の掛け部材１と吊り部材２との取付けの手順を説明する。図９は取付けの仕方の説明図である。図に示すように、係合受け部14の中央部分を吊り部材２の装入口30に位置させ、支持板24と抜け止め棒27とで構成される移動空間中で掛け部材１を図中の矢符に示す如く下方向に移動させる。掛け部材１を吊り部材２から分離する場合はこの逆の手順を行なう。
【００３０】
次に、係合凸部25と受け凹部16との係合嵌脱の状態について説明する。図１０〜図１３は、係合凸部25と受け凹部16との嵌脱の様子を説明する断面図である。図１０は受け凹部16が係合凸部25に係合支持されている状態である。係合凸部25は、断面形状で、上部が円弧形状で下部は下側ほど左右幅が広く、受け凹部も同様に、凹底部は円弧形状で開口側ほど左右幅が広い。また上述したように、係合凸部25の高さは受け凹部16の深さよりも長いので、係合凸部25は頂面で受け凹部16の底面を支持しており、受け凹部16の開口縁は回転支持片26,26 に当接していない。このとき、掛け部材１は上掛持部11及び下掛持部12を横方向にして支持されている。
【００３１】
このような係合凸部25と受け凹部16との係合は、掛け部材１を回動させることにより外れる。側部13に小さな力が与えられると掛け部材１は揺動する。左の側部13に下向きの力が与えられると、図１１に示すように、掛け部材１は半時計回りに回動し、受け凹部16の左開口縁が係合凸部25の回転支持片26に当接する。左の側部13にさらに下向きの力が加わると、図１２に示すように、回転支持片26を支点として受け凹部16が半時計回りに回動し、受け凹部16の右縁が係合凸部25の頂部を越える。受け凹部16がさらに回動すると、受け凹部16の左縁が回転支持片26から離れ、図１３に示すように、掛け部材１は前記移動空間中を下方向に移動し、右の側部13が係合凸部25に係合される。このとき、掛け部材１は短寸法の側部13を下側及び上側にして吊り部材２に支持される。図１４は、この一連の動作で、移動空間での起こり得る最上の掛け部材１の通過位置を示した説明図である。この状態で、掛け部材１が吊り部材２から外れることなく移動し得るだけの上下方向の寸法を、抜け止め棒27は有している。
【００３２】
このように側部13が係合凸部25に係合された状態から、図１０に示すような横方向に長く支持された状態に戻す場合は、掛け部材１に上向きの力を与えて係合凸部25の周面にて上掛持部11を摺動せしめる。そして、受け凹部16が係合凸部25に係合されたときに上向きの力を解除すると、受け凹部16は係合凸部25に係合される。なお、掛け部材１を上方向に移動せしめるときに、必ずしも係合凸部25に沿って上掛持部11を摺動せしめる必要はなく、掛け部材１が吊り部材２から外れない程度に掛け部材１を移動すれば良い。また、係合凸部25と受け凹部16との係合を外すために、掛け部材１を半時計回りに回動させる場合を説明したが、時計回りに回動させることによっても同様に動作する。
【００３３】
次に、以上の如き本実施の形態のハンガーの具体的な使用例を説明する。図１５〜図１８は、本実施の形態のハンガーに、洗濯済のセータを掛け外しする場合の手順を示す説明図である。図１５に示すように、掛け部材１を取付けた吊り部材２の挟持部21で物干し竿３を挟持し、Ｕ型板バネ29を外嵌せしめてハンガーを物干し竿３に固定する。このとき、挟持部21の両挟み手の両先端が外側に反っているので、竿３が太径であっても竿３を挟持部21の中央部分に案内し易い。掛け部材１は高さ方向に長い状態で吊り部材２に支持された状態にする。セータ４を掛け部材１に掛けるために、まず、掛け部材１の下側にある側部13を衿ぐりから挿入し、セータ４を上方向に移動する。このとき、洗濯済のセータ４は重くて緊張性に乏しいが、ハンガーの側部13が小幅であるのでハンガーを衿ぐりから円滑に挿入することができる。掛け部材１が全てセータ４内に挿入された後、セータ４と共に掛け部材１を掴んで上向きに押し上げ、係合凸部25に沿って上掛持部11を摺動せしめる（図１６参照）。そして、受け凹部16が係合凸部25に係合されたときに掛け部材１の移動を停止し、掛け部材１から手を離すと掛け部材１は図１７に示す状態に支持される。掛け部材１が高さ方向に長く支持された状態は、ハンガーに加える力を解除しても維持されるので、ハンガーに衣服を掛ける作業を両手で行なうことができる。
【００３４】
セータ４をハンガーから外す場合は、この逆の手順で行なう。即ち、図１７に示す状態で掛け部材１の左右何れかの側を下方向に押し下げ、掛け部材１を回動させて受け凹部16と係合凸部25との係合を外す。掛け部材１は下方向に移動して側部13が係合凸部25上に掛かり、高さ方向に長い状態で吊り部材２に支持される。この状態でセータ４を下方向に移動せしめて衿ぐりから掛け部材１を抜き出す。
【００３５】
また、図１８に示すように、セータ４の衿を左右の一側に軽く引くことにより、セータ４をハンガーから外すこともできる。例えばセータ４の衿を左側（又は右側）に引っ張ることにより、上掛持部11の右側に下方向の力が作用し、掛け部材１が時計回りに回動して受け凹部16と係合凸部25との係合が外れる。この後は、上述した動作と同様にセータ４をハンガーから外すことができる。
【００３６】
このように、掛け部材１の小幅の側部13を衿ぐりに挿入できるので、衣服の衿ぐりを伸長せしめることはなく、また、掛け部材１を円滑に移動させてハンガーの形状を変形できるので、短時間で掛持対象物の掛け外しを行なうことができる。また、ハンガーを物干し竿３に懸吊した状態で収納する場合には、掛け部材１を高さ方向に長くして収納することにより、収納場所が水平方向に広がらない。さらにまた、掛け部材１と吊り部材２とを取り外して収納することにより、小さな空間で収納可能である。
【００３７】
なお、上述した実施の形態では掛け部材１及び吊り部材２を合成樹脂で形成した場合を説明しているが、これに限るものではなく、軽量で錆び難い材質であれば良い。
【００３８】
また、上述した実施の形態では、掛け部材１の側部13,13 が上掛持部11の両端部に連なる場合を説明しているが、これに限るものではなく、片側のみに側部13を有してあっても良い。
【００３９】
さらにまた、上述した実施の形態では、吊り部材２を竿に係止する際に、挟持部21のＵ字底部に嵌着する形状のＵ型板バネを挟持部21に外嵌せしめ、挟持部21の竿との挟持を固定するようにしてあるが、これに限るものではなく、例えば挟持部21のＵ字底部がＵ字上部よりも底側に厚い形状を有し、図４に示すようにＵ型板バネ29を嵌着させた状態と同様の形状に吊り部材２を一体成形してあっても良い。
【００４０】
また、吊り部材２の竿への固定をさらに強化するために、挟持部21を以下に示す構造にしてあっても良い。図１９は本発明に係る他の吊り部材の構造を示す正面図であり、図２０はその斜視図、図２１はその平面図、図２２はその左側面図であり、図２０及び図２２では係合部23を省略して示している。図１９〜図２２に示すように、吊り部材２には正面視で略扇形状を有するバネ受け片41，41が挟み手の両側面から外側に夫々突設されて挟持部21と一体成形されており、これに割形リングバネ28が取付けられている。
【００４１】
バネ受け片41，41は夫々、前記扇形の円弧部分に相当する、挟持部21の前記屈曲部即ちＵ字底部に向かう凹曲面を両挟み手の外側面から突出させた行き止め部41a と、両挟み手の長さ方向に沿う面を有し、長さ方向の位置を異ならせて背面側及び正面側に夫々を立設させた第１及び第２の拘束部41b,41c とを備えている。バネ受け片41,41 夫々の第１の拘束部41b,41b は挟持部21の中央よりに、第２の拘束部41c,41c はＵ字底部よりに位置し、夫々の上部は行き止め部41a と衝合して一体化されている。第１の拘束部41b と第２の拘束部41c との間には正背方向に所定長の間隙を有している。また、２つのバネ受け片41の一方は第１の拘束部41ｂを背面側に位置させ、他方の第１の拘束部41ｂを正面側に位置させている。同様に、一方の第２の拘束部41ｂは正面側に、他方の第１の拘束部41ｂは背面側に位置させてある。
【００４２】
割形リングバネ28は第１及び第２の拘束部41b,41c 間の間隙と略同寸法の径を有する金属製線材をＣ形状に曲成した弾性部材であり、中央をＵ字底部側にし、端部をバネ受け片41の間隙部分に夫々差し入れて行き止め部41a に当接する位置まで挿入してある。このように割形リングバネ28はバネ受け片41,41 に支持されることにより挟持部21のＵ字底部側に固定され、挟持部21の両挟み手の接近方向に付勢している。吊り部材２のその他の構成は、図１に示した吊り部材２と同様であり、同部分に同符号を付してその説明を省略する。なお、第１及び第２の拘束部41b,41c が挟み手の長さ方向に位置を異ならせてあるので、割形リングバネ28の挿入が容易である。また、２つのバネ受け片41,41 の夫々で、第１（第２）の拘束部41ｂ,41b（41c,41c ）夫々が正面側と背面側とに位置を異ならせてあるので、割形リングバネ28の挟み手の幅方向の拘束がより強力となる。
【００４３】
以上の如き構造の吊り部材２を竿に係止して本発明のハンガーを使用する場合に、太さが異なる種々の竿を使用することができる。図２３は、割形リングバネ28を取付けた吊り部材２を用いてハンガーを竿に係止した状態を示す正面図である。掛け部材１の構造及びハンガーの使用方法並びにその効果については図１に示したハンガーと同様であり、同部分に同符号を付してその説明を省略する。図２３に示すように、吊り部材２を竿３に係止する際に、挟持部21の両挟み手の先端が夫々外側に反っているので、竿３が太径であっても竿３を挟持部21の中央部分に案内し易い。また、竿３を挟持した際に割形リングバネ28が挟持部21の両挟み手の接近方向に強く付勢するので、竿３が細径であっても太径であっても挟持部21を竿３に強固に係止できる。また、吊り部材２を長時間太径の竿３に係止して用いた後に細径の竿３に係止した場合でも、割形リングバネ28の弾性復元力により、細径の竿３に挟持力が弱まることなく固定することができる。
【００４４】
【発明の効果】
以上のように、本発明においては、吊り部材が係合部の底部中央に凸部を設けており、掛け部材が該凸部に嵌脱可能な凹部を備え、これらが弧状の頂部又は底部を有する台形状をなしているので、凸部及び凹部の当接位置を支点として掛け部材を揺動させることにより加えることにより、該掛け部材の支持姿勢を簡単に変えることができ、掛持対象物を円滑に掛け外しすることが可能となる等、本発明は優れた効果を奏する。
【図面の簡単な説明】
【図１】本発明のハンガーの構造を示す斜視図である。
【図２】本発明のハンガーの構造を示す正面図である。
【図３】本発明に係る掛け部材の構造を示す正面図である。
【図４】本発明に係る吊り部材の構造を示す正面図である。
【図５】本発明に係る吊り部材の構造を示す右側面図である。
【図６】本発明に係る吊り部材の構造を示す背面図である。
【図７】本発明に係る吊り部材の構造を示す平面図である。
【図８】本発明に係る吊り部材の構造を示す底面図である。
【図９】掛け部材と吊り部材との取付けの仕方の説明図である。
【図１０】係合凸部と受け凹部との嵌脱の様子を説明する断面図である。
【図１１】係合凸部と受け凹部との嵌脱の様子を説明する断面図である。
【図１２】係合凸部と受け凹部との嵌脱の様子を説明する断面図である。
【図１３】係合凸部と受け凹部との嵌脱の様子を説明する断面図である。
【図１４】係合凸部と受け凹部との嵌脱の様子を説明する正面図である。
【図１５】本実施の形態のハンガーにセータを掛け外す手順を示す説明図である。
【図１６】本実施の形態のハンガーにセータを掛け外す手順を示す説明図である。
【図１７】本実施の形態のハンガーにセータを掛け外す手順を示す説明図である。
【図１８】本実施の形態のハンガーにセータを掛け外す手順を示す説明図である。
【図１９】本発明の他の吊り部材の構造を示す正面図である。
【図２０】図１９の吊り部材の構造を示す斜視図である。
【図２１】図１９の吊り部材の構造を示す平面図である。
【図２２】図１９の吊り部材の左側面図である。
【図２３】図１９の吊り部材を用いたハンガーの使用状態を示す正面図である。
【図２４】従来のハンガーの構造を示す正面図である。
【符号の説明】
１  掛け部材
２  吊り部材
３  竿
４  セータ
１１  上掛持部
１３  側部
１４  係合受け部
１６  受け凹部
２１  挟持部
２４  支持板
２５  係合凸部
２６  回転支持片
２７  抜け止め棒
２８  割形リングバネ
４１  バネ受け片
４１ａ  行き止め部
４１ｂ，４１ｃ  第１，第２の拘束部
【図１】
0003800442.tif 000002
【図２】
0003800442.tif 000003
【図３】
0003800442.tif 000004
【図４】
0003800442.tif 000005
【図５】
0003800442.tif 000006
【図６】
0003800442.tif 000007
【図７】
0003800442.tif 000008
【図８】
0003800442.tif 000009
【図９】
0003800442.tif 000010
【図１０】
0003800442.tif 000011
【図１１】
0003800442.tif 000012
【図１２】
0003800442.tif 000013
【図１３】
0003800442.tif 000014
【図１４】
0003800442.tif 000015
【図１５】
0003800442.tif 000016
【図１６】
0003800442.tif 000017
【図１７】
0003800442.tif 000018
【図１８】
0003800442.tif 000019
【図１９】
0003800442.tif 000020
【図２０】
0003800442.tif 000021
【図２１】
0003800442.tif 000022
【図２２】
0003800442.tif 000023
【図２３】
0003800442.tif 000024
【図２４】
0003800442.tif 000025